(57)【要約】【課題】そばがらやポリエチレンのパイプ片などを使った枕の場合、中材を袋いっぱい詰めて使うと硬くて高い枕に仕上がってしまう、そこで中材を少し抜き取って仕上げた場合、初めは良い高さが確保されていても、徐々に中材が外側に寄って頭を置いている部分が低くなって寝心地の良い枕とは言えない状態となってしまうことが多くある。また、発砲ポリウレタンフォームを使ったまくらで、硬い材質を使った枕、やわらかい材質を使った枕それぞれ単一の材質だけを使った枕が販売されているが、それではやわらかすぎず、硬すぎずといった良い寝心地は得られない。【解決手段】本発明は上記目的を有効に達するために次のような構造にしてある。すなわち硬さ、形の違うスポンジを２層重ねた中材を吸水性の良いマットで巻いてそのマットが解けるのをボタンと輪ゴムで防ぐ構造を成した枕である。【選択図】    図３
2009101168.tif 000002
【特許請求の範囲】
【請求項１】
両面が平面のメインスポンジの上半分の中央を左右同幅残して前後に全幅削除、その上
に補助スポンジを積層して枕の中材とし、この中材をおもて面がパイル織り、裏面に滑り止めを施したマットで巻いて左右の高さを中央部分の前後全領域より高くして構成されることを特徴とする枕。
【請求項２】
請求項１に記載の枕において、前記メインスポンジと補助スポンジの硬さを異ならせ、
補助スポンジよりメインスポンジの硬さを硬くしたことを特徴とする枕。
【請求項３】
請求項１に記載の枕において、巻き終えたマットが解けるのを防ぐことを目的としてマ
ットにボタンを取り付けそのボタンに輪ゴムを引っ掛ける事を特徴とする枕。
【発明の詳細な説明】
【技術分野】
【０００１】
本発明は、寝具用枕において、特に仰向けと横向きの頭の高さをそれぞれ最適の高さで
朝まで維持し、快適な眠りを実現するための技術に関するものである。
【背景技術】
【０００２】
従来、寝具用枕として、そばがらが主流だった。それに変わるものとしてはポリエチレ
ンのパイプ片などが使われているが、最近はやわらかさを求める声が多く素材に工夫を加えた発砲ポリウレタンフォームを使った枕も多く出回っている。
【発明の開示】
【発明が解決しようとする課題】
【０００３】
ところがそばがらやポリエチレンのパイプ片などを使った枕の場合、中材を袋いっぱい
詰めて使うと硬くて高い枕に仕上がってしまう、そこで中材を少し抜き取って仕上げた場合、初めは良い高さが確保されていても、徐々に中材が外側に寄って頭を置いている部分が低くなって寝心地の良い枕とは言えない状態となってしまうことが多くある。また、発砲ポリウレタンフォームを使ったまくらで、硬い材質を使った枕、やわらかい材質を使った枕それぞれ単一の材質だけを使った枕が販売されているが、それではやわらかすぎず、硬すぎずといった良い寝心地は得られない。
【課題を解決するための手段】
【０００４】
本発明は上記目的を有効に達するために次のような構造にしてある。すなわち硬さ、形
の違うスポンジを２層重ねた中材を吸水性の良いマットで巻いてそのマットが解けるのを
ボタンと輪ゴムで防ぐ構造を成した枕である。
【発明の効果】
【０００５】
本発明は、頭を枕に乗せたとき、やわらかさを感じることができ、且つ、しっかり受け止めることができる硬さを併せ持つ。又、仰向けではやや低く、左右に寝返ったときはやや高めに頭を位置し、それぞれの高さは変わることなく朝まで維持し続けるという寝心地
の良い枕を提供することができる。
【発明を実施するための最良の形態】
【０００６】
メインスポンジ１は硬めの材質で上半分の左右同幅を残して、中央を前後に全幅削除、
三つの独立部分を有し、それぞれ枕の中央部分は仰向けに、枕の左右は各々左向、右向きに寝返ったとき中央部分より楽な姿勢を維持出来る高さ分高くして（図１）、首への負担を無くする働きを持つ。尚中央のくぼみに至る断面を図２（メインスポンジ２）の様に斜めにすることにより、中央にて仰向けの状態から右もしくは左に寝返ったとき頭が右もしくは左への移行をスムーズにする作用をも期待できる。
【０００７】
中材３は、メインスポンジ１あるいはメインスポンジ２の上にやわらかい補助スポンジ４を接着剤で貼り付けた状態を表す。補助スポンジ４はメインスポンジ１あるいはメインスポンジ２に積層した状態では図３に示すように中央部分に空間ができる。仰向けで寝たときこの空間は無くなるのだが補助スポンジ４の張りと補助スポンジ４がつぶされていくときの反発力とで頭をささえることとなり良い寝心地をつくり出す。
【０００８】
カバー５は中材３が外部から直接見えないよう、またマット６をカラーマットに着色し
たときの色合わせも兼ねて使用している。またカバー５は中材３の着脱を容易にできるように片面中央をカットしている。
【０００９】
ボタンの付いたマット６はカバー５に入れた中材３に巻きつける吸水性の良いマットで
おもて面にボタン７を４個埋め込んだ状態である。このボタンの位置は、一実施例図６が示す様なマット６が上下でまくらを挟む位置に来る場所に埋め込む。そしてこのボタンに輪ゴム８を引っ掛けて中材の横ずれを防止する。
（本発明の原理）
【００１０】
以下、本発明の一実施例を図１〜図７に基づいて段階的に組み立てて説明する。メインスポンジ１あるいはメインスポンジ２は枕の骨となる部分で、枕が折れ曲がったり、やわらかい布団やベッドで使用したときに枕が沈み込むのを防ぐ働きがある。また逆に、畳や板の間の上に直接枕を置いて使用する場合、頭を急激に枕に乗せたとき等、頭に衝撃を与えるのを防ぐ働きもある。且つ、枕自体が軽い為、多く積み重ねても形くずれを起こさないので、移動の際一度に多くの枕を運ぶことができる。これらの機能はメインスポンジ１あるいはメインスポンジ２の構造によるものである。
【００１１】
中央のくぼみは１３０ｍｍ〜１７０ｍｍ開けて、仰向けで寝た時頭が丁度収まる状態で頭を固定するより少し広めに取って頭を若干遊ばせるようにした方が落ち着いた寝心地を得ることができる。そして左右に寝返りを終えた頭はメインスポンジ１あるいはメインスポンジ２の左右の高台の上に乗ることとなる。すなわち、枕中央に位置するとき（仰向けの状態）より１０ｍｍ〜３０ｍｍ高くなることとなる。これこそが高台の目的で、仰向けから横向きとなったときに高くなった肩の分頭を持ち上げ、首への負担を無くするために工夫したものである。尚メインスポンジ２は中央のくぼみに至る断面を図２の様に斜めにすることにより、中央にて仰向けの状態から右もしくは左に寝返ったとき、頭の右もしくは左への移行をスムーズにする作用が期待できる。尚ここではメインスポンジ１あるいはメインスポンジ２に使用している硬さは圧縮硬さ（Ｎ）４０の物を使用。
【００１２】
補助スポンジ４は枕本来の心地良さを出す目的で取り付けたもので、両端をメインスポ
ンジ１あるいはメインスポンジ２の高台に接着剤で固定する（図３）。補助スポンジ４は頭を乗せたとき、また頭を動かしたとき、やわらかな感触を得られるように取り付けられている。ただこの補助スポンジ４は吸水性が悪く保温性が良いという性質があり枕として使用するにはやや暑いという欠点がある。そこでこれを解消するために吸水性の良いマット６で周囲を巻く。マット６を巻くことによって吸水性を良くし、同時に暑さも抑えることが可能となる。ただしマット６を巻くことにより枕全体としては硬くなる。そこでここのところを考慮して補助スポンジ４はやわらかい材質の物を使用している。尚ここでは補助スポンジ４に使用している硬さは圧縮硬さ（Ｎ）１０の物を使用。
【００１３】
カバー５は接着剤で貼り合わせたメインスポンジ１あるいはメインスポンジ２と補助ス
ポンジ４の接着面が外から見えない様、またカラーマットとの色合わせも兼ねて使用しており、片面中央をカットして、中材３の着脱を容易にできるようにしている（図４）。
【００１４】
次にマット６であるが、特徴は吸水性に富み通気性も良いということである、おもて面
に面１００％のループ織りを施すことにより、汗をかいても乾きが早い。又、家庭の洗濯機で洗っても型崩れはしない。日々使用する枕にはもってこいの素材ではないだろうか。他に、ループ織りの凹凸が頭に心地よい刺激を与えるということも利点と言えよう。
【００１５】
このマット６を裏返しに置き、ボタンの無い方にカバー５に入った中材３を左右の端を
合せて置く、そしてそれを中心にマット６で巻いていく。（マット６にはあらかじめ一実施例図６の枕を挟む位置にボタン７を４個つけておく。）
【００１６】
マット６で巻き終わって完成した枕（図６）において枕を挟む場所に位置するそれぞれ
のボタンに輪ゴム８を引っ掛ける。この輪ゴム８がマット６の端を引っ張り固定する。これにより就寝中中材３の入ったカバー５が横にずれることを防止し、皺が寄ることもなく張りのある枕を形作る。同時にボタン７どうしが輪ゴム８で引っ張られることでボタン７が傾き枕の表面からボタン７を沈め顔や頭にボタン７が触れることも防ぐこととなる。
【図面の簡単な説明】
【００１７】
【図１】メインスポンジ１の斜視図である。
【図２】メインスポンジ２の斜視図である。
【図３】中材の斜視図である。
【図４】中材を入れるカバーの斜視図である。
【図５】ボタンを４個取り付けたマットの斜視図である。
【図６】本発明に係る一実施例の斜視図である。
【図７】輪ゴムの斜視図である。
【符号の説明】
【００１８】
１  メインスポンジ１
２  メインスポンジ２
３  中材
４  補助スポンジ
５  カバー
６  マット
７  ボタン
８  輪ゴム    
【図１】
2009101168.tif 000003
【図２】
2009101168.tif 000004
【図３】
2009101168.tif 000005
【図４】
2009101168.tif 000006
【図５】
2009101168.tif 000007
【図６】
2009101168.tif 000008
【図７】
2009101168.tif 000009